(57)【特許請求の範囲】
【請求項１】
外装パネルの一部に設けられた開閉可能な開閉扉の内側に位置する筐体側に設けられた光源と、
前記光源に対向して前記開閉扉側に設けられた拡散レンズとを備え、
前記拡散レンズは、前記開閉扉に設けられた支持穴内に位置する導光部と該導光部に連続して前記光源側に位置する入射部とを有し、
前記入射部は、前記光源に対向する面がプリズム面であり、
前記支持穴の前記光源側の端部に位置し、前記導光部の、前記光源側の面を係止する係止部と、
前記支持穴内に位置し、該支持穴内に位置する前記導光部の外周面全域を圧接する把持部とを有することを特徴とする表示装置。
【請求項２】
前記筐体と、
前記開閉扉と、
請求項１記載の表示装置とを備えた画像形成装置。
【発明の詳細な説明】
【技術分野】
【０００１】
本発明は、表示装置および画像形成装置に関し、さらに詳しくは、ジャム発生箇所を表示する機構に関する。
【背景技術】
【０００２】
周知のように、電子写真方式による画像形成装置においては、トナー像が記録媒体の一つである記録紙に転写されて複写物が得られるようになっている。
記録紙は、画像形成装置内に設けられている給紙装置から転写位置に向け給送され、さらに転写後に定着装置を経て排出されるようになっている。
【０００３】
記録紙は、搬送路を正常搬送される場合だけでなく搬送路の途中でジャムなどの搬送不良を生じる場合もある。
記録紙の搬送不良は、搬送路に設けられたセンサあるいは搬送に要する時間計測などによって判別されるようになっており、搬送不良が生じた場合には、オペレータに警報できる構成が一般的に知られている。
【０００４】
オペレータは、搬送不良、いわゆる、ジャムが発生したことを装置外装部に設けられている操作パネルの表示などによって識別し、搬送不良解消のために、装置内から記録紙を取り出す作業を行う。
記録紙を取り出す際には、搬送路のどの箇所に搬送不良を生じた記録紙があるかを知ることが作業性を向上させるために必要となる。
【０００５】
従来、搬送不良を生じた記録紙の位置や取り出し手順を表示して取り出し作業の便宜を図る構成として、装置外装部に設けられた操作パネルの一部に液晶表示部を設けるのとは別に、開閉扉を開放した際に露呈する筐体の一部にドア内表示部を設けた構成が提案されている（例えば、特許文献１）。
【発明の概要】
【発明が解決しようとする課題】
【０００６】
特許文献１に開示されている構成では、開閉扉を開放して表示部を認識した上でジャムなどの搬送不良が生じている箇所を確認することになるが、表示部を認識しなければジャムが発生している箇所を確認することができない。このため、迅速にジャム解消のための位置を判断することができずにジャム解消作業が手間取るという不具合がある。
【０００７】
例えば、画像形成装置の外装パネルが記録紙の搬送路を外部に露呈させる箇所毎に設けられている場合には、その外装パネルのどれを開放すればよいかの判断が行いにくい虞がある。
【０００８】
このような不具合を解決するために、外装パネル側に表示部を設けることも考えられる。
しかし、外装パネル側に表示部を設けた場合には、表示部への電源が必要となる。このため、例えば、外装パネル側とこれに対向する筐体側とに設けられて挿脱可能なドロワコネクタなどを装備する場合には、挿脱に際しての接続不良を防止するために外装パネルの剛性を高める必要が生じ、この構成により、外装パネルの構造の複雑化や大型化を招くという新たな問題が生じる。
【０００９】
本発明の目的は、上記従来の表示部を用いた場合の問題に鑑み、簡単な構成によりジャムなどの搬送不良を解消する際の作業性を向上させることが可能な構成を備えた表示装置および画像形成装置を提供することにある。
【課題を解決するための手段】
【００１０】
この目的を達成するため、本発明は、外装パネルの一部に設けられた開閉可能な開閉扉の内側に位置する筐体側に設けられた光源と、前記光源に対向して前記開閉扉側に設けられた拡散レンズとを備え、前記拡散レンズは、前記開閉扉に設けられた支持穴内に位置する導光部と該導光部に連続して前記光源側に位置する入射部とを有し、前記入射部は、前記光源に対向する面がプリズム面であり、前記支持穴の前記光源側の端部に位置し、前記導光部の、前記光源側の面を係止する係止部と、前記支持穴内に位置し、該支持穴内に位置する前記導光部の外周面全域を圧接する把持部とを有することを特徴とする表示装置にある。
【発明の効果】
【００１１】
本発明によれば、開閉扉には光源ではなく拡散レンズが設けられているので、開閉扉側への電源などを必要とすることがない。しかも、拡散レンズは、開閉扉の装填位置で外周囲に当接する把持部によって周辺部に対して遮光された状態で設けられているので、光源からの光を集中して表示に用いることができる。
これにより、開閉扉に表示部を設けた場合の構成の簡略化と適正な表示状態を得ることが可能となる。
【図面の簡単な説明】
【００１２】
【図１】本発明の実施形態にかかる表示装置を用いる画像形成装置の外観図である。
【図２】図１に示した画像形成装置における開閉扉に設けられている表示装置の設置状態を説明するための図である。
【図３】本発明の実施形態にかかる表示装置の要部構成を説明するための図である。
【図４】本発明の実施形態にかかる表示装置の制御部を説明するためのブロック図である。
【図５】図４に示した制御部の作用を説明するためのフローチャートである。
【図６】図３に示した要部構成の変形例を説明するための図である。
【発明を実施するための形態】
【００１３】
以下、図面により本発明を実施するための形態について説明する。
図１は、本発明の実施形態にかかる表示装置を備えた画像形成装置の外観図である。
同図において画像形成装置１は、装置本体を構成している筐体の一部に開閉扉２，２’が設けられており、開閉扉２，２’は、装置内の機器類の保守やジャムを生じた記録紙の取り出しなどの際に開放されるようになっている。
【００１４】
開閉扉２，２’には、開閉操作に用いる取手２Ａ、２Ａ’の近傍に表示装置３の一部材として用いられる拡散レンズ４が設けられている。
【００１５】
表示装置３は、図１に示した開閉扉２，２’側に位置する拡散レンズ４と、図２に示すように、拡散レンズ４と対向する装置本体の筐体１Ａ側に設けられているＬＥＤを用いた光源５とで構成されている。
【００１６】
図３は、表示装置３の要部を説明するための図である。
同図において、表示装置３は、開閉扉（便宜上、符号２で示す）の一部に設けられている装填部としての支持穴２Ｂ内に支持されている拡散レンズ４と、この拡散レンズ４に対向する筐体１Ａ側で拡散レンズ４との間で光軸を一致させて設けられた支持部１Ａ１に装着されているＬＥＤ光源５とを備えて構成されている。
【００１７】
開閉扉２側の支持穴２Ｂは、拡散レンズ４におけるＬＥＤ光源側との対向面を係止する係止片２Ｂ１が設けられてＬＥＤ光源５に拡散レンズ４が突き当たるのを防止するようになっており、さらに、係止片２Ｂ１と異なる位置に拡散レンズ４の外周面に向けて突出するリブ状の把持部２Ｂ２が設けられている。
【００１８】
リブ状の把持部２Ｂ２は、ＬＥＤ光源５に向けて開閉扉２の表面側から内側に向かうに従い高さが高くなる傾斜面２Ｂ２Ａを備え、開閉扉２の表面側から拡散レンズ４が挿入される際の抵抗を軽減し、挿入された後に傾斜面２Ｂ２Ａの頂部を拡散レンズ４の外周面に圧接させて保持できるようになっている。
リブ状の把持部２Ｂ２は、拡散レンズ４の外周面全域に亘って圧接することができ、これにより、ＬＥＤ光源５からの光が開閉扉２の表面側に漏れるのを防止する遮光部として機能するようになっている。
【００１９】
拡散レンズ４は、支持穴２Ｂ内に位置する導光部４Ａに連続してＬＥＤ光源５と対向する側には光の入射部４Ｂが設けられており、入射部４Ｂは、ＬＥＤ光源５と対面する側の面がＷ字状のような突起をなすエッジ部が鋭角の波形状の側面視形状とされている。
【００２０】
本実施形態は以上のような構成であるから、ＬＥＤ光源５を用いた表示装置３は、開閉扉２側に電源を要する構成がない。従って、開閉扉２側では拡散レンズ４の支持部のみを設けるだけですむので、構成を簡略化することができる。
しかも、ＬＥＤ光源５からの光は、拡散レンズ４に有する波形状面に入射することでプリズム効果が得られ、これにより、広い範囲に光を拡散することができるので、開閉扉２の外部から認識しやすい状態が得られる。
【００２１】
このように、複数設けた開閉扉２，２’にそれぞれ拡散レンズ４を設けた表示装置３によれば、必要な箇所のＬＥＤ光源５を点灯させることで紙詰まりを生じている記録紙の取り出し位置を容易に確認することができる。
【００２２】
本実施形態では、表示装置３の制御が図４に示す制御部１００により実行されるようになっている。
図４において制御部１００は、画像形成シーケンス制御に用いられる制御部が兼用されており、本実施形態と関係する構成として入力側には、ジャム検知センサ１０１が接続され、出力側には、開閉扉毎に設けられている表示装置３の駆動部１０２および搬送路の複数箇所を対象として設けられた紙詰まり部表示部材としてのＬＥＤ１０３が接続されている。
【００２３】
ジャム検知センサ１０１は、例えば、記録紙の搬送路で所定の間隔を設定した位置に配置した複数の光学センサが用いられ、記録紙のサイズなどを基にセンサの配置位置間の移動時間を正常搬送時間と対比して紙詰まり発生の判別を行う方式や、搬送路上の記録紙を直接検知できる方式が用いられている。後者の方式では、例えば、紙詰まりを起こしている記録紙が取り除かれた場合も検知できるようになっている。
【００２４】
制御部１００では、図５に示す手順により紙詰まり解消処理が実行される。
図５において、ジャム検知センサ１０１からの信号が判別され、紙詰まりが発生したと判断した場合には（Ｓ１）、紙詰まりが発生している搬送路近傍の開閉扉に設けられている表示装置３を駆動（点灯）させる信号を出力する（Ｓ２）。
表示装置３が点灯するとオペレータは開放すべき開閉扉を容易に判断することができ、開放する（Ｓ３）。
【００２５】
開閉扉が開放されると、搬送路において紙詰まりが生じている箇所がＬＥＤ１０３により表示されるので（Ｓ４）、オペレータは、その表示に従い、記録紙を取り出すことができる（Ｓ５）。
紙詰まり解消作業が終了すると、開閉扉が閉じられて正常搬送に備えられる（Ｓ６）。
【００２６】
次に、本実施形態の要部変形例について説明する。
図６は、表示装置（便宜上、符号３’で示す）の要部構成を示す図３相当の図である。
同図において表示装置３’は、開閉扉２側に設けられている拡散レンズ（便宜上符号４’で示す）とこれに対応する筐体側に設けられているＬＥＤ光源５とで構成されている。
【００２７】
本実施形態での拡散レンズ４’は、ＬＥＤ光源５と対向する面の形態が図３に示した場合と異なっている。
つまり、拡散レンズ４’におけるＬＥＤ光源５と対向する位置には、拡散レンズ４’の導光部からＬＥＤ光源５に向けて突出する断面矩形状の導光部４Ｂ’が設けられており、その先端がＬＥＤ光源５に接近させてある。
【００２８】
本実施形態は以上のような構成であるから、ＬＥＤ光源５から出射された光が直接拡散レンズ４’の断面矩形状の導光部に入りやすくされており、これによりＬＥＤ光源５からの光が外部に漏れ出すことなく拡散レンズ４’内に入り込むことができる。これにより、開閉扉の該表面からの点灯状態を識別しやすくすることができる。
【００２９】
なお、図３および図６に示した構成において、ＬＥＤ光源５からの光が拡散レンズ４，４’に入り込む前に外部周辺へ漏れるのを防止するためには、筐体側あるいは開閉扉側に、内面を反射面とされた円筒状の可撓性部材（図３および図６において二点鎖線で示す部材）を配置することも可能である。
【符号の説明】
【００３０】
１  画像形成装置
１Ａ  筐体
２、２’  開閉扉
２Ｂ  支持穴
２Ｂ１  係止部
２Ｂ２  把持部
３  表示装置
４、４’  拡散レンズ
５  ＬＥＤ光源
【先行技術文献】
【特許文献】
【００３１】
【特許文献１】特開平１１−１１９６０９号公報
【図１】
0006047921.tif 000002
【図２】
0006047921.tif 000003
【図３】
0006047921.tif 000004
【図４】
0006047921.tif 000005
【図５】
0006047921.tif 000006
【図６】
0006047921.tif 000007